(57)【要約】【課題】モアレが明瞭に観察される装飾表示板を得る。【解決手段】網点により第１パターン１２が印刷された基材１１と、網点により第２パターン３２が印刷された透明シート３１から構成され、基材１１の上に透明シート３１を重ねてモアレ６１を生じさせる装飾表示体であって、第１パターン部分について、任意の微小面１８をとり、微小面の面積をＰとし、前記微小面中にある１色の、網点の面積の合計値をＱとしたとき、各色の網点いずれについても、式（１）を満足し、          Ｑ≦０．７Ｐ      （１）  かつ、第２パターン部分について、任意の微小面３８をとり、微小面の面積をＲとし、前記微小面中にある１色の、網点の面積の合計値をＳとしたとき、各色の網点いずれについても、式（２）を満足する装飾表示体用一対のシートである。          Ｓ≦０．７Ｒ      （２）【選択図】図１
2005280090.tif 000002
【特許請求の範囲】
【請求項１】
単色または複数色の、各色が格子状に配列された網点により形成される第１パターンが表現された基材と、単色または複数色の、各色が格子状に配列された網点により形成される第２パターンが表現された透明シートから構成され、前記基材の上に前記透明シートを重ねることにより、第１パターンと第２パターンの重なり面にモアレを生じさせる装飾表示体用の一対のシートであって、
前記基材上の、前記重なり面となる第１パターン部分について、任意の微小面をとり、前記微小面の面積をＰとし、前記微小面中にある１色の、網点の面積の合計値をＱとしたとき、各色の網点いずれについても、式（１）を満足し、
Ｑ≦０．７Ｐ      （１）
かつ、前記透明シート上の、前記重なり面となる第２パターン部分について、任意の微小面をとり、前記微小面の面積をＲとし、前記微小面中にある１色の、網点の面積の合計値をＳとしたとき、各色の網点いずれについても、式（２）を満足する装飾表示体用一対のシート。
Ｓ≦０．７Ｒ      （２）
【請求項２】
単色または複数色の、各色が格子状に配列された網点により形成される第１パターンが表現された基材と、単色または複数色の、各色が格子状に配列された網点により形成される第２パターンが表現された透明シートから構成され、前記基材の上に前記透明シートを重ねることにより、第１パターンと第２パターンの重なり面にモアレを生じさせる装飾表示体用の一対のシートであって、
第１パターンと第２パターンは、単一の原図を分色し、かつ、全体調子変化処理して表現されたものであり、第１パターンは、前記全体調子変化処理にあたりトーン変換値を３０〜７０％として表現し、第２パターンは、前記全体調子変化処理にあたりトーン変換値を３０〜７０％として表現し、かつ、第１パターンの前記トーン変換値と第２パターンの前記トーン変換値の合計値が８０％〜１４０％である装飾表示体用一対のシート。
【請求項３】
前記基材は、不透明度７０％以上であることを特徴とする請求項１乃至２いずれか記載の装飾表示体用一対のシート
【請求項４】
第１パターン及び／又は第２パターンに、図柄がはめ込まれた装飾表示体用一対のシートであり、前記図柄の面積は、前記重なり面の面積の３０％〜７０％であることを特徴とする請求項１乃至３いずれか記載の装飾表示体用一対のシート。
【請求項５】
請求項１乃至４いずれか記載の装飾表示体用一対のシートを、前記基材の第１パターン上に、直接又は透明部材を介して、前記透明シートの第２パターンを重ね、第１パターンと第２パターンの重なり面にモアレを生じさせた装飾表示体。
【発明の詳細な説明】
【技術分野】
【０００１】
本発明は、商品広告用などに用いる装飾表示体に関し、詳しくはパターンの重ね合わせにより、モアレ模様を創り出す装飾表示体に関する。
【背景技術】
【０００２】
従来のモアレ模様を創り出す表示体は、多数の細線からなる下部模様が形成された基材の上に、多数の細線からなる上部模様が形成された透明シートを一部分が密着しないように積層している（例えば、特許文献１参照。）。また、所定ピッチで繰り返された基本構成要素を有する少なくとも２つのパターン層を有し、当該少なくとも２つのパターン層が重ね合わされる領域において、少なくとも一つのパターン層に、基本構成要素の少なくとも一部の大きさを変化させて得られるグラデーションモチーフを備えている表示体もある（例えば、特許文献２参照。）。
【０００３】
さらに、透明樹脂板の表裏両面に繰り返し模様層を設け、模様の密度を異ならせ、又は、所定のスクリーン角度を設けモアレを現出させるとともに、裏面にライトを設け、モアレパターンを視感する構成とした表示体もある（例えば、特許文献３参照。）。
【０００４】
【特許文献１】実用新案登録第３０６３８４９号公報
【特許文献２】特開２００２−１０３９００号公報
【特許文献３】実開平６−３９５００号公報
【発明の開示】
【発明が解決しようとする課題】
【０００５】
従来の透明シートを重ねる表示体では、表示パターンによってはモアレが観察しづらいことがある。特に、表示パターンが色濃い場合や、表示パターン中の色濃い部分ではこの傾向がある。
第３の従来例のように裏面にライトを設けるとモアレの観察は容易になるが、表示体が大掛かりとなり費用も嵩む。
また、第２の従来例のように、上部パターンと下部パターンを異なる刷版で印刷すると、手数がかかり、費用も嵩む。
【０００６】
そこで、本発明は、パターン中でモアレ創出を意図した面の全領域にわたり、モアレが明瞭に観察される装飾表示板を得ることを課題とする。また、本発明は、パターンを簡便に作成可能な装飾表示板を得ることを課題とする。
本発明のその他の課題や利点は以下の本発明の説明により明らかになる。
【課題を解決するための手段】
【０００７】
上記の課題を解決するため、第１の発明にかかる装飾表示体用一対のシートは、単色または複数色の、各色が格子状に配列された網点により形成される第１パターンが表現された基材と、単色または複数色の、各色が格子状に配列された網点により形成される第２パターンが表現された透明シートから構成され、前記基材の上に前記透明シートを重ねることにより、第１パターンと第２パターンの重なり面にモアレを生じさせる装飾表示体用の一対のシートであって、前記基材上の、前記重なり面となる第１パターン部分について、任意の微小面をとり、前記微小面の面積をＰとし、前記微小面中にある１色の、網点の面積の合計値をＱとしたとき、各色の網点いずれについても、式（１）を満足し、
Ｑ≦０．７Ｐ      （１）
かつ、前記透明シート上の、前記重なり面となる第２パターン部分について、任意の微小面をとり、前記微小面の面積をＲとし、前記微小面中にある１色の、網点の面積の合計値をＳとしたとき、各色の網点いずれについても、式（２）を満足する装飾表示体用一対のシートである。
Ｓ≦０．７Ｒ      （２）
【０００８】
本発明においては、装飾表示体用の一対のシート中、透明シートに表現される第２パターンについて、任意の微小面を観察し、その面積をＲとする。この微小面に含まれる同一色の網点について、それぞれの網点の面積を算出し、その合計値をＳとする。Ｓは当該微小面の面積（Ｒ）の７０％以下である。第２パターンが複数の色の網点から形成される場合には、いずれの色の網点についても、上記の関係が満足される。これにより、基材に表現された第１パターンは、第２パターンの隙間から観察されるので、第１、第２パターンが好適に重なり、モアレが明瞭に観察される。
【０００９】
さらに、基材に表現される第１パターンについて、任意の微小面を観察し、その面積をＰとする。この微小面に含まれる同一色の網点について、それぞれの面積を算出し、その合計値をＱとする。Ｑは当該微小面の面積（Ｐ）の７０％以下である。第２パターンが複数の色の網点から形成される場合には、いずれの色の網点についても、上記の関係が満足される。これにより、第１パターンと第２パターンを重ねて観察するとき、色の濃さが好適となり、モアレが明瞭に観察される。
【００１０】
第２の発明にかかる装飾表示体用一対のシートは、単色または複数色の、各色が格子状に配列された網点により形成される第１パターンが表現された基材と、単色または複数色の、各色が格子状に配列された網点により形成される第２パターンが表現された透明シートから構成され、前記基材の上に前記透明シートを重ねることにより、第１パターンと第２パターンの重なり面にモアレを生じさせる装飾表示体用の一対のシートであって、
第１パターンと第２パターンは、単一の原図を分色し、かつ、全体調子変化処理して表現されたものであり、第１パターンは、前記全体調子変化処理にあたりトーン変換値を３０〜７０％として表現し、第２パターンは、前記全体調子変化処理にあたりトーン変換値を３０〜７０％として表現し、かつ、第１パターンの前記トーン変換値と第２パターンの前記トーン変換値の合計値が８０％〜１４０％である。
【００１１】
本発明において、「分色」とは、色分解（多色原稿を、Ｙ、Ｍ、Ｃ、ＢＫの４色に分けること）と、分版（多色原稿を特色に分けること）を含む概念である。また、「全体調子変化処理」とは、色濃度を変化させる処理を意味する。例えば、印刷にあっては、製版段階で行われる網点の大きさを一定割合で変化させる処理をいう。換言すれば、例えば、「平網のパーセンテージ指定」、「写真半調指定」、「写真６０％トーン指定」などに基づき行われる処理をいう。
【００１２】
第１パターンと第２パターンに単一の原図を使用すると、装飾表示体用一対のシートの作成が容易となり、手間と時間が節約できる。また、全体調子変化処理して作成するので、各色を個別に網掛け指定することなく、その網点の大きさを一定値以下にすることができる。これにより、基材に表現された第１パターンは、第２パターンの隙間から観察されるので、第１、第２パターンが好適に重なり、モアレが明瞭に観察され、さらに、第１パターンと第２パターンを重ねて観察するとき、色の濃さが好適となり、モアレが明瞭に観察される。
【００１３】
特に、単一の原図を、同一のトーン変換値で全体調子変化処理し、単一の刷版を得て、第１パターンと第２パターンを当該単一の刷版を使用して印刷する場合、または、当該処理後の、単一のコンピュータ原稿から第１パターンと第２パターンを表現する場合には、手間と時間の節約効果が大きくなる。この場合は、トーン変換値を６０％とすることが最も好ましい。
もっとも、全体調子変化処理のトーン変換値は６０％に限られず、また、第１パターンと第２パターンの当該トーン変換値を同一とすることに限られるものではない。つまり、第１パターンのトーン変換値と第２パターンのトーン変換値の合計値が８０％〜１４０％であればよい。
【００１４】
本発明にかかる装飾表示体用一対のシートの好適な実施形態にあっては、前記基材は、不透明度７０％以上であってもよい。このようにすれば、基材は実質的に不透明となるので、基材と透明シートを重ねた場合に、基材の背面にある背景は遮断され、第１パターンと第２パターンの重なったパターンのみが観察され、よりモアレが明瞭に観察される。
【００１５】
もっとも、基材は不透明な部材に限られず、透明または半透明な部材（例えば透明シート）であってもよい。さらに、このような基材の場合には、第１パターンの下地に白抑えをしたり、また、第１パターンが表現される面の裏面に白抑えをしたりして、不透明な部材を使用するのと同様な効果を得ることも出来る。
【００１６】
また、本発明にかかる装飾表示体用一対のシートの好適な実施形態にあっては、第１パターン及び／又は第２パターンに、図柄がはめ込まれた装飾表示体用一対のシートであり、前記図柄の面積は、前記重なり面の面積の３０％〜７０％であってもよい。
図柄の面積を、この範囲にすれば、モアレ創出部分と図柄部分が好適な対照となり、表現意図が強調される。
さらに、図柄が基材及び／又は透明シートに表現されると、図柄用に別途透明シートを用いる必要がなくなり、手間や費用をかけることなく、広告文など装飾表示体作成の意図を表現できる効果も得られる。
【００１７】
本発明の装飾表示体は、前記した装飾表示体用一対のシートを、前記基材の第１パターン上に、直接又は透明部材を介して、前記透明シートの第２パターンを重ね、第１パターンと第２パターンの重なり面にモアレを生じさせたものである。
以上説明した本発明の好ましい実施形態やこれらの構成要素は可能な限り組み合わせて実施することができる。
【発明の効果】
【００１８】
第１の発明によれば、パターン中でモアレ創出を意図した全領域にわたり、モアレが明瞭に観察される装飾表示板用一対のシートが提供される。また、第２の発明によれば、モアレが明瞭に観察されるとともに、パターンを簡便に作成可能な装飾表示板用一対のシートが提供される。
また、本発明の装飾表示体は、パターン中でモアレ創出を意図した全領域にわたり、モアレが明瞭に観察される。さらに、パターンを簡便に作成可能となる。
【発明を実施するための最良の形態】
【００１９】
本発明と本明細書において、○○〜××の数値範囲の表現は、特に断りのない限り、○○以上、××以下を意味する。
【００２０】
（第１の発明）
第１の発明にあっては、基材には、単色または複数色の、各色が格子状に配列された網点により形成される第１パターンが表現される。
基材としては、塗工印刷用紙（アート紙、コート紙など）、微塗工印刷用紙、非塗工印刷用紙、合成紙、合成樹脂シート（下記に詳述する透明シートと同一部材）を用いることができる。
【００２１】
第１パターンは、各色が格子状に配列された網点により形成される。格子状に配列された網点の典型例は、いわゆる製版スクリーンである。また、プリンターにおける濃淡表現のための網点を含むものである。
網点の形状は特に限定はなく、スクエアドット、チェーンドット、ラウンドドットなど公知の形状の網点が使用できる。
【００２２】
第１パターンが単色（例えばスミアミ）で表現される場合には、格子状の網点は１種である。第１パターンがカラーで表現される場合には、格子状網点は、通常、イエロー（Ｙ）、マゼンタ（Ｍ）、シアン（Ｃ）及び墨（ＢＫ）の４種である。また、これらに加えて、単一または複数の、特色の格子状網点が追加されてもよい。さらに、Ｙ、Ｍ、Ｃ、ＢＫ及び／又は特色から選択される２種、３種または４種以上の色の網点を重ねて形成されてもよい。
【００２３】
第１パターンの形成方法としては、グラビア印刷法、スクリーン印刷法、オフセット印刷法などの通常の印刷法を用いることができる。特に、多色刷りや階調表現を行うには、オフセット印刷法やグラビア印刷法が適している。
また、カラープリンタを用いて形成してもよい。トナー方式やインクジェット方式などのカラープリンタを用いれば、少数の印刷にも対応できる。
【００２４】
基材が合成樹脂シートの場合には、印刷インキは、ポリビニル系樹脂、ポリアミド系樹脂、ポリエステル系樹脂、アクリル系樹脂、ポリウレタン系樹脂、ポリビニルアセタール系樹脂、ポリエステルウレタン系樹脂、セルロースエステル系樹脂、アルキド樹脂などの樹脂をバインダーとし、適切な色の顔料または染料を着色剤として含有する着色インキを用いることが好ましい。
紙の場合には、通常の紙用印刷インキが使用できる。
【００２５】
透明シートには、単色または複数色の、各色が格子状に配列された網点により形成される第２パターンが表現される。
透明シートとしては、ポリフェニレンスルフィド樹脂、ポリカーボネート樹脂、ポリプロピレン系樹脂、ポリエチレン系樹脂、ポリアミド系樹脂、ポリエステル系樹脂、アクリル系樹脂、ポリ塩化ビニル系樹脂、ポリアリレート樹脂などの合成樹脂製シートが使用でき、さらには、ポリ乳酸などの生分解性プラスチック材料のシートを使用することもできる。これらのなかで、ポリエチレンテレフタレート（以下ＰＥＴという）、ポリブチレンテレフタレートが、基材または透明部材に貼り合せる場合に部分的な糊付けでよい点から好ましい。
【００２６】
また、トレーシングペーパーを使用してもよい。トレーシングペーパーは透明度が大きいものが好ましい。さらに合成樹脂シートなどに予め色付けされたシートを用いてもよい。この場合には、淡い色つけがされているものが好ましい。
【００２７】
第２パターンは、第１パターンと同様に網点で形成される。網点の形状、使用する色の数についても第１パターンと同様である。第２パターンの形成方法も第１パターンの形成方法と同様である。
第２パターンは、通常、透明シートの一面に表示される。重ねた場合に、基材と対面する面の裏面に表示することが好ましい。第１パターンと第２パターンを同一にする場合に、同一の刷版で両者を印刷できるからである。
【００２８】
第１パターンと第２パターンを形成する網点のピッチは、スクリーン線数で１０線以上が好ましい。上限は特に制限はないが、通常２００線以下、好ましくは１５０線以下、より好ましくは１００線以下である。網点のピッチにより、第１、第２パターン重ね合わせ面のモアレの大きさが変化する。観察者の装飾表示体からの距離により、好適なモアレの大きさは変化するが、距離０．３ｍから１．０ｍ程度から観察する場合には、スクリーン線数を２０〜１００とすることが好ましい。
【００２９】
第１パターンと第２パターンは、網点の格子を所定角度に交差させることにより、好適なモアレを創出する。第１パターンと第２パターンに同色の網点が含まれる場合には、同色の格子が、０度を越えて３０度以下、に交差するように重ねあわせることが好ましい。ただし、表現したいモアレの大きさなどにより、好ましい交差角度は変化する。
したがって、装飾表示体用一対のシートは、第１パターンと第２パターンが、同一角度の格子により形成されている場合には、基材と透明シートを一定角度で交差させて重ね合わせる。この場合には、第１パターンと第２パターンを共に方形に表現すると重なり合わない部分が残ることがある。両パターンを円形に表現すると、パターンの全面を重ねることができる。
【００３０】
また、基材に表現される第１パターンと、透明シートに表現される第２パターンの格子角度を異なるように形成し、重ねることもできる。このようにすれば、方形のパターンを表現しても、パターンの全面が重なりあい、かつ、パターンの全面にモアレが創出されるので、好ましい。
【００３１】
第１パターンは、任意の微小面をとり、前記微小面の面積をＰとし、前記微小面中にある１色の、網点の面積の合計値をＱとしたとき、各色の網点いずれについても、式（１）を満足する。
Ｑ≦０．７Ｐ      （１）
ここで、任意の微小面の大きさは、網点が形成される単一の格子を２５個以上含む大きさとする。第１パターンの網点を代表する特性を比較するためである。すなわち、例えば、スクリーン線数５０の場合には、微小面は、１辺が２．５４ｍｍ（２５．４ｍｍ（１インチ）／５０（線数）×５）の正方形、またはこの正方形を含む任意形状の面とする。また、スクリーン線数１００であれば、１辺が１．２７ｍｍの正方形またはこの正方形を含む任意形状の面とする。
そして、この微小面の面積をＰとする。
【００３２】
微小面中の一色とは、例えば、第１パターンが、Ｙ、Ｍ、Ｃ、ＢＫの４色の場合には、Ｙ、Ｍ、Ｃ、ＢＫそれぞれを意味する。すなわち、微小面中にあるＹの網点の、それぞれの面積の合計値をＱＹとする。同様に、Ｍの網点の合計値をＱＭ、Ｃの網点の合計値をＱＣ、ＢＫの網点の合計値をＱＢＫとする。ＱＹ、ＱＭ、ＱＣ、ＱＢＫの各々が、式（３）を満足する。
ＱＸ≦０．７Ｐ      （Ｘ＝Ｙ、Ｍ、ＣまたはＢＫ）（３）
【００３３】
さらに、透明シート上の、第２パターン部分について、任意の微小面をとり、前記微小面の面積をＲとし、前記微小面中にある１色の、網点の面積の合計値をＳとしたとき、各色の網点いずれについても、式（２）を満足する。
Ｓ≦０．７Ｒ      （２）
微小面の大きさ、微小面中にある１色の意味などは、上記第１パターンについて説明したと同様である。
【００３４】
なお、第１パターンと第２パターンについて、微小面は、第１パターンと第２パターンの重なり面の中に定める。すなわち、基材と透明シートを重ねたとき、第１パターンと第２パターンが重なり合わないパターンの部分（通常パターンの周辺部分）は、除外して、微小面を定める。
また、第１パターンと第２パターンは、同一であってもよく、異なってもよい。モアレがより明瞭になり、また、一対のシートが同一版から作成できる観点から同一のパターンが好ましい。一方、装飾表示体の、意匠表現の自由度の観点からは異なるパターンとすることが好ましい。
【００３５】
（第２の発明）
第２の発明にあっては、基材には、単色または複数色の、各色が格子状に配列された網点により形成される第１パターンが表現される。
基材の材質、第１パターンを形成する網点などは前記第１発明と同様である。
【００３６】
透明シートには、単色または複数色の、各色が格子状に配列された網点により形成される第２パターンが表現される。透明シートの材質、第２パターンを形成する網点などは前記第１発明と同様である。
第１パターンと第２パターンの格子状網点の関係、重ね合わせについても、第１発明と同様である。
【００３７】
第１パターンと第２パターンは、単一の原図を分色し、かつ、全体調子変化処理して表現されたものであり、第１パターンは、全体調子変化処理にあたりトーン変換値を３０〜７０％として表現し、第２パターンは、全体調子変化処理にあたりトーン変換値を３０〜７０％として表現したものである。
原図の分色は、カラースキャナでの分色と、コンピュータを使用し、ＤＴＰで行う分色を含むものである。
全体調子変化処理は、分色の結果得られる各色の網点の面積を一定割合で変化させる処理である。
原図の分色と全体調子変化処理は、カラースキャナを用いたり、ＤＴＰ処理を行ったり、また、画像処理ソフトウェアを用いたりして行う。
【００３８】
さらに、第１パターンのトーン変換値と第２パターンのトーン変換値の合計値が、通常８０％〜１４０％であり、好ましくは９０〜１３０％である。
本発明にあっては、上記の一定条件下で全体調子変化処理をすればよく、その後に刷り色交換してパターンを印刷する場合にも、本発明の技術範囲に含まれる。
【００３９】
（第１の発明、第２の発明の共通事項）
基材は、背景を遮断する観点から、不透明度７０％以上が好ましく、さらに好ましくは８０％以上、もっとも好ましくは９５％以上である。
そして、好ましくは、白色の紙であり、より好ましくは白色の厚紙である。
【００４０】
第１パターン及び／又は第２パターンに、図柄をはめ込む典型例は、パターン中にマドをつくり、マドの中に図柄をはめ込むものである。もっとも、マドの輪郭線はパターンの輪郭線と共通するものであってもよく、さらには、図柄の一部分が、パターンの中にはめ込まれたものであってよい。
図柄は、マドなしではめ込んでもよい。図柄部分の面積は、マドを作成する場合にはマド部分の面積を意味し、マドなしではめ込む場合には、文字、写真など図柄そのものの面積を意味する。
【００４１】
図柄は、通常、広告文、キャッチフレーズ、製品の写真などであり、図柄部分にはモアレが出ないことが好ましい。モアレを出さないためには、基材または透明シートのどちらかにのみ図柄を表現するのが簡単である。また、基材と透明シートの両者に図柄を表現する場合には、図柄部分とパターン部分で、格子角度を変える、格子数を変える、スキャナーのピントを甘くするなど、モアレを抑制する公知の方法を、図柄部分に適用することができる。
【００４２】
本発明の装飾表示体は、前記した装飾表示体用一対のシートを、前記基材の第１パターン上に、直接又は透明部材を介して、前記透明シートの第２パターンを重ね、第１パターンと第２パターンの重なり面にモアレを生じさせたものである。
透明部材とは、ショウケースのガラス・アクリル板、窓ガラス、ガラス扉、などを含む。
特に厚みのある透明板の表面と裏面にそれぞれ基材と透明シートを貼ると、観察する角度によりモアレが揺らぎ、装飾表示体の趣味感が増大する。
【００４３】
本発明の装飾表示体は、店頭ディスプレイ用のＰＯＰステッカーとして、冷蔵ケース、窓、ショウケースなどに用いることができる。
また、店内タペストリーとして用いることもできる。この場合には、糊で貼り付ける、貫通穴に紐を通すなどにより、一対のシートの天部（上部）のみを固定すると、空調の風などに起因して、基材と透明シートの間隔や位置関係が変化し、モアレが揺らぎ装飾表示体の趣味感が増大する。なお、このようなタペストリーは、２枚の基材の裏面を貼り合わせ、両面に透明シートを重ねて、タペストリーの両面にパターンを表現し、モアレを創出することもできる。また、不透明な基材の両面に第１パターンを表現して、両面に透明シートを重ねて同様の効果を得ることが出来る。
【００４４】
さらに、クリアファイル、透明袋などを装飾表示体とすることもできる。この場合には、重なる２枚の透明シートの一方を基材、他方を透明シートとして、第１パターンと第２パターンを表現することができる。また、素材の１面を透明シートとして第２パターンを表示し、紙などを基材として第１パターンを表示して、紙などの出し入れに伴う、モアレの揺らぎを装飾の１つの目的とすることもできる。このようなクリアファイルなどは、例えば、ノベルティーとすることができる。
さらに、基材と透明シートを共に転写箔とし、透明成型物の表面と裏面に第１、第２パターンを転写して、モアレを創出する透明成型物を作ることも出来る。
【００４５】
以下に実施例により、本発明にかかる装飾表示体用一対のシートと装飾表示体をさらに説明する。この発明の実施例に記載されている部材や部分の寸法、材質、形状、その相対位置などは、とくに特定的な記載のない限りは、この発明の範囲をそれらのみに限定する趣旨のものではなく、単なる説明例にすぎない。
【実施例１】
【００４６】
図１は、第１の発明にかかる装飾表示体用１対のシートの説明図である。
図中１１は基材であり、横方向輪郭線１３と縦方向輪郭線１４に囲まれた面に第１パターン１２が印刷されている。基材１１は白色のカレンダー用紙であり、不透明度は１００％である。
【００４７】
第１パターン１２は、格子状に配列された紅色（Ｍ）の網点と格子状に配列された藍色（Ｃ）の網点で印刷されており、紅領域１５、青紫領域１６、藍領域１７からなる。ＭとＣのスクリーン線数は６５である。紅領域１５と青紫領域１６の境界を含む微小面１８には、Ｍ網点２１とＣ網点２２が印刷されている。
拡大面１９は、微小面１８中のＭ網点２１を拡大して示したものである。微小面１８に含まれるＭ網点２１の総面積は、微小面１８の面積の５０％である。
【００４８】
また、拡大面２０は、微小面１８中のＣ網点２２を拡大して示したものである。微小面１８に含まれるＣ網点２２の総面積は、微小面１８の面積の２０％である。
第１パターンのＭ網点２１の格子は、横方向輪郭線１３と６０度の角度で交差し、Ｃ網点２２の格子は、横方向輪郭線１３と０度の角度で交差（すなわち平行）している。このように格子の角度を配置して、第１パターンのみではモアレを生じないようにしている。
【００４９】
図中３１は透明シートであり、横方向輪郭線３３と縦方向輪郭線３４に囲まれた面に第２パターン３２が印刷されている。透明シート３１はＰＥＴ製のシートであり、透明度は１００％である。
第２パターン３２は、格子状に配列された紅色（Ｍ）の網点と格子状に配列された藍色（Ｃ）の網点で印刷されており、紅領域３５、青紫領域３６、藍領域３７からなる。ＭとＣのスクリーン線数は６５である。紅領域３５と青紫領域３６の境界を含む微小面３８には、Ｍ網点４１とＣ網点４２が印刷されている。拡大面３９は、微小面３８中のＭ網点４１を拡大して示したものである。微小面３８に含まれるＭ網点４１の総面積は、微小面３８の面積の５０％である。
【００５０】
また、拡大面４０は、微小面３８中のＣ網点４２を拡大して示したものである。微小面３８に含まれるＣ網点４２の総面積は、微小面３８の面積の２０％である。
第２パターンのＭ網点４１の格子は、横方向輪郭線３３と６５度の角度で交差し、Ｃ網点４２の格子は、横方向輪郭線３３と５度の角度で交差している。このように格子の角度を配置して、第２パターンのみではモアレを生じないようにしている。
【００５１】
図２は、基材１１と透明シート３１を重ねた装飾表示体５１の説明図である。
基材１１の第１パターンが印刷された面に、透明シート３１が重ねられている。透明シート３１上の第２パターン３２は、透明シートが基材１１に対面する面と反対側の面、すなわち、図２の紙面上側に印刷されている。同時に、第１パターンの輪郭線１３、１４と第２パターンの輪郭線３３、３４が一致するように重ねられている。このように重ねられるので、第１パターンを形成するＭ網点の格子と、第２パターンを形成するＭ網点の格子は角度５度の交差角で交差している。同様に、第１パターンを形成するＣ網点の格子と、第２パターンを形成するＣ網点の格子もまた、角度５度の交差角で交差している。
輪郭線５３と５４に囲まれた重ね合わせ面は、紅領域５５、青紫領域５６、藍領域５７となり、これらの各領域上には、モアレ６１が明瞭に創出された。
【実施例２】
【００５２】
図３は、第２の発明にかかる装飾表示体用１対のシートの説明図である。
図中１１１は基材であり、マド１２６を除く全面に第１パターン１１２が印刷されている。マド１２６の中には、新発売の文字１２７がＢＫ１００％で形成されている。文字１２７を除いてマド１２６は白地のままである。基材１１１は白色の中質コート紙であり、不透明度は９５％である。
【００５３】
図中１３１は透明シートであり、マド１４６を除く全面に第２パターン１３２が印刷されている。マド１４６には、印刷は無い。透明シート１３１はＰＥＴ製のシートであり、透明度は１００％である。
【００５４】
第１パターン１１２と第２パターン１３２は、虹模様であり、原紙をＤＴＰにより分色し、トーン変換値６０％を指定して全体調子変化処理し、同一条件でコンピュータから、基材１１１と透明シート１３１にプリント出力したものである。プリンターはインクジェットプリンターを使用した。第１パターン１１２と第２パターン１３２は、Ｙ、Ｍ、Ｃの３色の網点から形成されており、そのスクリーン線数は各々１００である。
【００５５】
図４は、基材１１１と透明シート１３１を重ねた装飾表示体１５１の説明図である。
基材１１１の第１パターンが印刷された面に、透明シート１３１が重ねられている。透明シート１３１上の第２パターン３２は、透明シートが基材１１１に対面する面と反対側の面、すなわち、図４の紙面上側に印刷されている。同時に、基材１１１と透明シート１３１は、交差角４度で重ねられている。
【００５６】
第１パターン１１２と第２パターン１３２の重ね合わせ部分は、虹色で、かつ、モアレが明瞭に観察された。（虹色模様とモアレは図示していない）
さらに、マド中の新発売の文字１２７が明瞭に判読できた。
【産業上の利用可能性】
【００５７】
本発明にかかる装飾表示体用一対のシートは装飾表示体の作成に使用され、当該装飾表示体は、例えば、ＰＯＰ、ノベルティー、店舗などの建造物の装飾などに利用できる。
【図面の簡単な説明】
【００５８】
【図１】第１の発明にかかる装飾表示体用１対のシートの説明図である。
【図２】第１の発明にかかる装飾表示体の説明図である。
【図３】第２の発明にかかる装飾表示体用１対のシートの説明図である。
【図４】第２の発明にかかる装飾表示体の説明図である。
【符号の説明】
【００５９】
１１、１１１    基材
１２、１１２    第１パターン
１８    微小面
１９    拡大面（Ｍ網点）
２０    拡大面（Ｃ網点）
２１    Ｍ網点
２２    Ｃ網点
３１、１３１    透明シート
３２、１３２    第２パターン
３８    微小面
３９    拡大面（Ｍ網点）
４０    拡大面（Ｃ網点）
４１    Ｍ網点
４２    Ｃ網点
５１、１５１    装飾表示体
６１    モアレ
１２６、１４６    マド
１２７    文字
【図１】
2005280090.tif 000003
【図２】
2005280090.tif 000004
【図３】
2005280090.tif 000005
【図４】
2005280090.tif 000006